(57)【要約】【課題】換気ユニット本体の取り付け作業が極めて効率よく行うことができるものを提供すること。【解決手段】予め、住宅の天井裏内に換気用のダクトを設けるとともに、ダクトに通じる屋外側に換気ユニットが付設できる付設部と換気ユニット用電源コンセントを設け、付設部に屋外側から取り付けできる換気ユニット本体を備えることを特徴とする。【選択図】  図２
2004278806.tif 000002
【特許請求の範囲】
【請求項１】
予め、住宅の天井裏内に換気用のダクトを設けるとともに、前記ダクトに通じる屋外側に換気ユニットが付設できる付設部と換気ユニット用電源コンセントを設け、
前記付設部に屋外側から取り付けできる換気ユニット本体を備えることを特徴とする住宅換気システム。
【請求項２】
請求項１に記載された住宅換気システムにおいて、
前記住宅は集合住宅であることを特徴とする住宅換気システム。
【請求項３】
請求項２に記載された住宅換気システムにおいて、
前記ダクトと前記換気ユニットは、各戸毎に独立して設けられていることを特徴とする住宅換気システム。
【請求項４】
請求項３に記載された住宅換気システムにおいて、
各室の天井に換気口を設け、この換気口を前記換気ユニット本体に前記ダクトを介して前記換気ユニットに連通していることを特徴とする住宅換気システム。
【請求項５】
請求項１〜４の一つに記載された住宅換気システムにおいて、
前記付設部は、屋外の通路や屋外のベランダ等に屋外側に臨むところの上側であることを特徴とする住宅換気システム。
【請求項６】
請求項１〜５の何れか一つに記載された住宅換気システムにおいて、
前記天井裏の換気をも併せてすることを特徴とする住宅換気システム。
【請求項７】
請求項４に記載された住宅換気システムにおいて、
前記ダクトを接続管や集合接続管を用いて天井裏で接続することを特徴とする住宅換気システム。
【請求項８】
請求項１に記載された住宅換気システムにおいて、
前記換気ユニット本体の電動送風機は、常時連続運転することを特徴とする住宅換気システム。
【請求項９】
請求項３に記載された住宅換気システムにおいて、
前記換気ユニット用電源コンセントの電力配線系と、住居する者自体が個々に負担するところの個人負担用電力配線系を分けていることを特徴とする住宅換気システム。
【請求項１０】
請求項９に記載された住宅換気システムにおいて、
前記換気ユニット用電源コンセントの電力配線系と個人負担用電力配線系使用される電力消費量が別個に計測されることを特徴とする住宅換気システム。
【請求項１１】
請求項９に記載された住宅換気システムにおいて、
前記換気ユニット用電源コンセントに接続されるブレーカを含むスイッチは、集合住宅の管理人が管理する所定個所に設けたことを特徴とする住宅換気システム。
【請求項１２】
請求項１に記載された住宅換気システムにおいて、
前記換気ユニット本体は、電動送風機と、この電動送風機を内側に内置するフード部と、前記換気ユニット用電源コンセントに差し込む電源プラグを有し、
前記換気ユニット用電源コンセントは、前記付設部に換気ユニット本体を取り付けた際に前記フード部内に収まる位置に予め設けたことを特徴とする住宅換気システム。
【請求項１３】
請求項１に記載された住宅換気システムにおいて、
前記換気ユニット本体は、電動送風機と、この電動送風機を内側に内置するフード部と、前記換気ユニット用電源コンセントに差し込む電源プラグを有し、
前記電動送風機は、ファンと電動機を有し、かつそのファンはシロッコファンを含む遠心ファンまたは送風圧力が遠心ファン並みの軸流ファンで形成されていることを特徴とする住宅換気システム。
【請求項１４】
請求項１に記載された住宅換気システムにおいて、
前記換気ユニット本体は、電動送風機と、この電動送風機を内側に内置するフード部と、前記換気ユニット用電源コンセントに差し込む電源プラグを有し、
換気ユニット本体の排出口側に開閉自在なるシャッタを備えたことを特徴とする住宅換気システム。
【請求項１５】
請求項１４に記載された住宅換気システムにおいて、
前記電動送風機は、シャッタの開閉と無関係に運転されることを特徴とする住宅換気システム。
【請求項１６】
請求項１に記載された住宅換気システムにおいて、
前記換気ユニット本体は、同時に吸気と排気ができる同時吸排型の形態を有し、かつ前記ダクトは吸気路と排気路を有することを特徴とする住宅換気システム。
【請求項１７】
請求項１６に記載された住宅換気システムにおいて、
前記ダクトは前記吸気路と前記排気路が一つの管で形成されていることを特徴とする住宅換気システム。
【請求項１８】
請求項１に記載された住宅換気システムにおいて、
前記ダクトは前記天井裏の上に存在する上天井に吊り具をもって吊られることを特徴とする住宅換気システム。
【請求項１９】
請求項１０に記載された住宅換気システムにおいて、
前記換気ユニット本体の風量を切り替える風量切り換え手段を設け、
所定の風量を超える風量に風量切り換え手段を切り換えたときには、送風に費やす電力消費量が個人負担に計測されることを特徴とする住宅換気システム。
【請求項２０】
請求項１２〜１５の何れか一つに記載された住宅換気システムにおいて、
前記フード部内には照明手段を設け、照明が点灯するように照明切り換え手段が切り換えたときには、照明に費やす電力消費量が個人負担に計測されることを特徴とする住宅換気システム。
【請求項２１】
請求項１６に記載された住宅換気システムにおいて、
前記換気ユニット本体の吸気風路に取り外し自在の空気清浄フィルタを備えたことを特徴とする住宅換気システム。
【請求項２２】
請求項１６に記載された住宅換気システムにおいて、
前記換気ユニット本体の吸気風路と排気風路に熱の受け渡しをする熱交換手段を設けたことを特徴とする住宅換気システム。
【発明の詳細な説明】
【０００１】
【発明の属する技術分野】
本発明は、換気用のダクトを用いて部屋の換気を行う住宅換気システムに関する。
【０００２】
【従来の技術】
特許文献１（特開平１１−２５７７１０号公報）等で示すように天井裏に張り巡らす換気用のダクトを通じて各部屋の換気を行う住宅換気システムは、電動送風機を有するが換気ユニット本体が天井裏に置くため、取り付け工事／作業が面倒であった。
【０００３】
通常、換気用のダクトの取り付けは、家屋工事の大工さんが内装工事に併せてする。換気ユニット本体の取り付けは、電気器具を扱う電気工事業者が行なう。家屋の電気配線をする電気工事業者と換気ユニット本体の取り付け電気工事業者が一緒であるとは限らない。違う場合が多い。
【０００４】
このため、天井裏に張り巡らす換気用のダクトを通じて各部屋の換気を行う住宅換気システムは、換気ユニット本体を取り付けを含む種々には手間がかかる。特に集合住宅では、未入居者の戸／入居者の戸があったり、不在の戸があったりして住宅完成後に換気ユニット本体の取り付けを行なう場合は、日取りや時間のやりくりが面倒である。その集合住宅の各戸にまとめ換気ユニット本体の取り付けをすることができなく、効率よく工事をすることができない。
【０００５】
【特許文献１】
特開平１１−２５７７１０号公報
【０００６】
【発明が解決しようとする課題】
本発明は、上記の問題に鑑み、特に集合住宅での換気ユニット本体の取り付けをまとめて一度に済ませることができ、取り付け作業が極めて効率よく行うことができるものを提供することを目的とする。
【０００７】
【課題を解決するための手段】
本発明は、予め、住宅の天井裏内に換気用のダクトを設けるとともに、ダクトに通じる屋外側に換気ユニットが付設できる付設部と換気ユニット用電源コンセントを設け、前記付設部に屋外側から取り付けできる換気ユニット本体を備えることを特徴とする。
【０００８】
【発明の実施の形態】
本発明の実施形態に係わる実施例について、図に沿って説明する。
【０００９】
まず、図１、図２を引用して住宅換気システムから述べる。
【００１０】
この集合の住宅１は、６戸数が集合した二階建の建造家屋である。各戸あたりの縦断面（図２）に示すように天井裏２には、換気用のダクト３が這うように備えられ、各戸のベランダ（屋外側）の上部住宅壁４に換気ユニット本体５が備えられている。換気ユニット本体５は、ダクト３に連通するよう備えられている。また換気ユニット本体５は、屋外の通路側の上部住宅壁４にも取り付けことができる。
【００１１】
換気用の吊り具７は、天井裏２の上天井６に吊り具７を介して吊り下げられる。吊り具７は下部に換気用のダクト３を保持する筒状保持体８が設けられている。上天井６は、二階側の戸の床が一階側の戸の上天井になる。天井裏２の丈（上天井６と天井９との間隔丈）は、約２０ｃｍ（集合住宅の場合は、この程度で、間隔丈を大きく確保することは難しい。）であるので、換気用のダクトより大きなものを置くことは難しくなる。
【００１２】
各戸の部屋（Ａ、Ｂ、Ｃ）の天井には、換気口２０Ａ、２０Ｂ、２０Ｃが設けられる。換気口２０Ａ、２０Ｂ、２０Ｃは、換気用のダクト３に連通するように接続される。換気口には、格子が備えられている。各部屋の空気は換気口より吸われ、換気ユニット本体５から家屋の外に排気される。換気口から排気される引き換えに外気取入口から外気が引き込まれるので、部屋が締め切られていても強制的に部屋の換気が行われる。
【００１３】
換気ユニット本体５は、昼夜に関係なく常時連続運転されるようにしている。この常時連続運転で、換気量が（０３回／時間）を下回らない程度に行われるように、換気ユニット本体５の送風量、各部屋の換気口の大きさ、ダクト３の長さや管径を考慮している。
【００１４】
図３〜図６に沿って、住宅の建築から換気ユニット本体の取り付けに至る様子を順を追って説明する。
【００１５】
図３はコンクリートで作られたままの換気ユニット本体の取り付け付帯工事が施される前の建造家屋を示すもので、一戸分を天井裏の上方から見たところを表している。付帯工事が施される前の建造家屋には、屋外の通路側の上部住宅壁４に換気用のダクトが挿入できる程度の穴２１があるだけで、換気用のダクトの付設はもちろん、天井の施工もされていない。
【００１６】
換気用のダクトの付設は、天井９を張る前にする。図４に示すように天井裏２になるところの空間にダクト３の配管をし、かつ図２に示すように吊り具７で、上天井６にそのダクト３を吊る。また、そのダクト３を集合接続管２２に接続する。この集合接続管２には、排出側のダクト３の一方が接続され、排出側のダクト３の他方が上部住宅壁４の穴２１に挿入される。さらに集合接続管２２には、天井裏換気用のダクト２３が接続される。
【００１７】
天井裏換気用のダクト２３は備えなくともよいが、集合接続管２２に天井裏２の空気を吸う換気口は必要である。集合接続管２２を吊り具７で吊ることで、集合接続管２２が安定するので、ダクトとの接続が良好に保たれる。ダクトの接続に種々の形態の接続を用いることで、様々な天井裏の構成に対応した配管ができる。
【００１８】
ダクト２３の取り付けが済まされたら、天井９を張る。換気用のダクトは吊り具で吊られているので、天井を張る作業に支障はない。天井張り中に天井をダクトに仮止めできる作業面の良さがある。
【００１９】
天井張りをしたら、各部屋の天井に換気口２５Ａ、２５Ｂ、２５Ｃを取り付け、その換気口をダクト３に接続して部屋（室内）の換気システムの工事が完了する。この工事に併せて換気ユニット本体が付設されるところの工事をする。
【００２０】
図６に示すように、上部住宅壁４の穴２１のところに付設部３０を設ける。中央に通気穴３１が形成されている鋼板等の付設ボード３２（図７に示す）を上部住宅壁４の外面側（屋外側）にネジ等で固定することで付設部３０ができる。付設ボード３２には、換気ユニット本体を固定するためのネジ穴３３が設けられている。
【００２１】
付設ボード３２を用いず、上部住宅壁４の外面側（屋外側）に換気ユニット本体を取り付けるためのボルトを植立して付設部を作ることも可能である。
【００２２】
また上部住宅壁４の外面側（屋外側）には、換気ユニット用電源コンセント３４が備わる。換気ユニット用電源コンセント３４は付設部３０の縁部に重なるように設けられる。換気ユニット用電源コンセント３４に関する配線工事も併せて行なわれる。
【００２３】
ここまでの工事が住宅の建築（建造）に付帯して行なわれる。このような換気システムを取り付けるための付帯工事を完了させてから、図５に示すように付設部に換気ユニット本体５の取り付けが行なわれる。
【００２４】
換気ユニット本体５は、図７に示すように、電動送風機４０、フード部４１、排出口側に設けた開閉自在なるシャッタ４２、吸い込み口４３が設けられている吸込板４４、電源プラグ４７を有する。電動送風機４０は、モータ４５、ファン４６を有する。ファン４６は、シロッコファンで送風圧力が高い遠心ファンが望ましい。または送風圧力が遠心ファン並みの軸流ファンでも良い。フード部４１は、電動送風機４０や吸込板４４を内側に収め、かつ換気ユニット本体５を付設部３０に取り付けた際に換気ユニット用電源コンセント３４をも収めることができる大きさを有する。また換気ユニット用電源コンセント３４は、フード部４１の内側に収まるような位置に予め取り付け置く。
【００２５】
付設部３０に取り付けられた換気ユニット本体５は、上部側が付設ボード３２の上側フック５０に引っ掛けられ、下部が付設ボード３２に下部にネジ５１で止められる。また付設ボード３２のネジ穴３３に螺合する別のネジ（図示せず）を用いて換気ユニット本体５を固定する。
【００２６】
このようにして換気ユニット本体は付設部に取り付け固定されるのである。換気ユニット本体の取り付けが、換気システムを取り付け付帯工事後に、住宅の上部住宅壁４の外面側（屋外側）に屋外側から取り付けできるので、次のようなメリットがある。
【００２７】
換気ユニット本体の取り付けは、住宅（戸）内に入ることなく住宅（戸）の屋外側からできるので、入居者が不在の戸でも、未入居の戸でも、取り付の作業ができる。このため、集合住宅での換気ユニット本体の取り付けをまとめて一度に済ませることができ、取り付け作業が極めて効率よく行うことができる。
【００２８】
換気ユニット本体の取り付ける場所（付設部）は、屋外の通路や屋外ベランダ等の屋外側に臨むところの上側であるので、踏み台や脚立を使って容易に取り付けの作業をすることができる。
【００２９】
付設部に備わる換気ユニット用電源コンセント３４に電源プラグ４７を差し込むことで、換気ユニット本体の運転（電動送風機４０の運転）が行われるので、入居／未入居の住宅（戸）にかかわらず、集合住宅の全戸の換気が常時行われ、建材や内装材から出る臭い等の排出を良く行うことができる。
【００３０】
集合接続管２２に天井裏換気用のダクト２３が接続されているので、天井裏の臭いも一緒に排出される。
【００３１】
換気ユニット用電源コンセント３４と、これに差し込む電源プラグ４７は、フード部内にあるので、管理人以外の者がわざわざ電源プラグ４７を外してしまうことはまずなく、換気ユニット本体の運転が継続して維持される。
【００３２】
換気ユニット本体は、換気用のダクトを使って複数の部屋の換気をするので、風量はもちろん高い送風圧力を有する遠心ファンや送風圧力のでる軸流ファンを電動送風機に用いたのである。
【００３３】
換気ユニット用電源コンセント３４の電力配線系と、各戸が個人負担する個人負担用電力配線系が別個に電力消費量を計測できるように分けられている。また換気ユニット用電源コンセント３４の電力配線系に接続されているブレーカを含むスイッチが、全戸分をまとめて管理人が管理する集中配電盤箱内に設置する。さらに全戸分をまとめて計測する積算電力を備える。
【００３４】
これにより、換気ユニット本体に関する維持管理は、各戸の入居住人に負担をかけることなく、管理人のもとで行うことができる。
【００３５】
また換気ユニット本体には、オプションで照明手段（照明切り換え手段を含む）や風量切り換え手段を設けることが可能である。照明切り換え手段や風量切り換え手段は、その戸の入居住人が操作できるところに設けられる。
【００３６】
照明が使用されたときには、消費電力が個人負担になるように照明切り換え手段と個人負担用電力配線系が電気的に連携されている。規定風量（所定の風量）を超えるように風量切り換え手段をセットしたときは、消費電力が個人負担になるように風量切り換え手段と個人負担用電力配線系が電気的に連携されている。
【００３７】
換気ユニット本体は、集合住宅の各戸毎に別々に独立して設けられているので、全戸を一台の換気ユニット本体で換気するものと違って戸毎の換気量ばらつきが生じ難く、また前述した照明や量切り換えのオプションに戸別対応できる。
【００３８】
通常、換気ユニット本体の運転は、シャッタが開かれたままである。風が強い時には逆に吹き込んでしまうので、シャッタを閉じて吹き込みを抑える。シャッタは電動送風機の運転とは無関係になっているので、換気ユニット本体の運転は続けられる。
【００３９】
次に図８、図９、図１０に示す他の実施例について述べる。
【００４０】
この換気ユニット本体５’は、同時に吸気と排気ができる同時給排気型になっている。先の実施例で述べた換気ユニット本体と共通なところは、同じ符号を付して説明を省略する。
【００４１】
電動送風機６０は、電動機６１、換気用のファン６２、吸気用のファン６３を有する。換気用のファン６２、吸気用のファン６３は、電動機６１を間にして背中併せに配置されている。吸気用のファン６３の前側には、外気吸込口６４が形成されている外気吸込板６５が置かれる。外気吸込板６５の前側には空気清浄フィルタ６６が外気吸込口６４を覆うように置かれる。
【００４２】
図９に示す換気用のダクト７０は、管内を二つに区画した換気流路７１と吸気流路７２を有する。ダクト７０の換気流路７１は換気ユニット本体の換気用のファン６２側に、ダクト７０の吸気流路７２は換気ユニット本体の吸気用のファン６３側に連通するように接続される。またダクト７０は、部屋の天井の換気口に接続される。この換気口はダクト７０が換気流路７１と吸気流路７２を有するので、換気部と吸気部を併せて備え、換気部にはダクト７０の換気流路７１が、吸気部にはダクト７０の吸気流路７２が連通するように接続される。
【００４３】
図１０に示す換気用のダクト７３は、二重管構造で内側管７４が換気流路、外側管７５が吸気流路になる。内側管７４が吸気流路、外側管７５が換気流路でもよい。ダクト７３の換気ユニット本体および換気口との接続は、図９に示すダクト７０の場合と変わらない。
【００４４】
この同時給排気型の換気ユニットは、吸気と換気が一緒に強制的に行われるので、密閉度の高い部屋の換気に適している。空気清浄フィルタ６６があるので、清浄した外気を入れることができる。汚れると、空気清浄フィルタ６６は新しいものに交換できる。
【００４５】
また同時給排気型の換気ユニット本体には、吸気風路と排気風路に熱交換手段を設け、吸気風路と排気風路を流れる空気の熱が互い受け渡されるようにすることで、冷房／暖房の熱を回収できる。
【００４６】
【発明の効果】
本発明によれば、予め、住宅の天井裏内に換気用のダクトを設けるとともに、前記ダクトに通じる屋外側に換気ユニットが付設できる付設部と換気ユニット用電源コンセントを設けておくことにより、後に換気ユニット本体を屋外側から簡単に取り付けることができる。
【図面の簡単な説明】
【図１】本発明の実施例にかかわるもので、集合住宅の各戸外壁（外側ベランダの上部住宅壁）に換気ユニット本体を付設した様子を示す外観斜視図。
【図２】本発明の実施例にかかわるもので、図１に示す集合住宅の一戸分の縦断面。
【図３】本発明の実施例にかかわるもので、換気ユニット本体の取り付け付帯工事が施される前の建造家屋を天井裏の上方から見た斜視図。
【図４】本発明の実施例にかかわるもので、図３に示す天井裏にダクトの配管を施工した状態を示す斜視図。
【図５】本発明の実施例にかかわるもので、図３に示す外壁（外側ベランダの上部住宅壁）に換気ユニット本体を付設した状態を示す斜視図。
【図６】本発明の実施例にかかわるもので、換気ユニット本体を付設する付設部、換気ユニット用電源コンセント、換気ユニット本体を示す斜視図。
【図７】本発明の実施例にかかわるもので、換気ユニット本体の縦断面図。
【図８】本発明の他の実施例にかかわるもので、同時吸気排気型の換気ユニット本体の縦断面図。
【図９】本発明の他の実施例にかかわるもので、換気用のダクトの斜視図。
【図１０】本発明の他の実施例にかかわるもので、換気用のダクトの斜視図。
【符号の説明】
１…住宅、２…天井裏、３…換気用のダクト、５…換気ユニット本体、３０…付設部、３４…換気ユニット用電源コンセント、４７…電源プラグ。
【図１】
2004278806.tif 000003
【図２】
2004278806.tif 000004
【図３】
2004278806.tif 000005
【図４】
2004278806.tif 000006
【図５】
2004278806.tif 000007
【図６】
2004278806.tif 000008
【図７】
2004278806.tif 000009
【図８】
2004278806.tif 000010
【図９】
2004278806.tif 000011
【図１０】
2004278806.tif 000012